(57)【要約】【課題】複数の通信先との間の監視情報伝送を効率的に行うことができる複数の通信機器に対する監視システムを提供する。【解決手段】接続される信号増幅装置の装置種別番号を予め上位の子局装置で識別できるようにしておき、接続される信号増幅装置に送る監視信号を装置種別番号に従って一意に決定することができるように構成されている。【選択図】　　　図１
2004023625.tif 000002
【特許請求の範囲】
【請求項１】
複数の信号伝送路の各一端側は一つの監視局の複数のインターフェースにそれぞれ接続され、前記複数の信号伝送路の各他端側は着脱可能な接続手段により複数の被監視通信機器と接続可能なるように構成されると共に、該複数の被監視通信機器のうちの少なくとも一つの被監視通信機器が前記接続手段により前記複数の信号伝送路の各他端側に接続されたときに、当該接続された被監視通信機器を識別する識別信号が前記複数の信号伝送路のうちの該当する信号路を介して前記監視局に設けられた監視手段に取得されるように構成され、該監視手段は前記識別信号が取得された該被監視通信機器に対して個別に予め定められている監視信号とその応答信号を前記複数の信号伝送路のうちの該当する信号伝送路により伝送して、該応答信号の信号状態により当該被監視通信機器の状態の監視を行うことができるように構成された
複数の通信機器に対する監視システム。
【請求項２】
前記監視局と前記複数の被監視通信機器間に光ファイバ伝送路が配置され、該光ファイバ伝送路の一方側の装置では伝送すべき電気信号を光信号に変換して送信を行い、他方の装置では受信した光信号を電気信号に変換して元の電気信号を取り出す双方向伝送を行う光信号伝送路が形成されており、前記監視局の監視手段には、前記複数の被監視機器の各識別信号を選択して設定するためのロータリスイッチが実装され、該ロータリスイッチによる選択操作によって前記識別信号の種類が特定され、監視効率を向上させることができるように構成されたことを特徴とする請求項１に記載の複数の通信機器に対する監視システム。
【請求項３】
前記監視手段に前記識別信号を個別に記憶しておくためのメモリ領域が設けられ、該メモリ領域の記憶内容から前記識別信号が特定されて、監視効率を向上させることができるように構成されたことを特徴とする請求項１に記載の複数の通信機器に対する監視システム。
【発明の詳細な説明】
【０００１】
【発明の属する技術分野】
本発明は、複数の通信機器を有する通信装置に関するものであり、特に、複数の被監視通信機を監視するための監視システムに関するものである。
【０００２】
【従来の技術】
まず、この種のシステムの従来例として、光伝送システムについて説明する。このシステムは、基地局と電波不感地帯との電波の中継を行うための装置である。具体的には、基地局から送信されてきた電波は、親局装置で受信され、親局装置内で電気信号から光信号に変換され、光ファイバを介して子局装置に送信される。子局装置で受信された光信号は、再び電気信号に変換され、子局装置に接続されたアンテナを介してＲＦ信号として出力され、各携帯端末まで送信される。このように子局から直接アンテナ出力される場合もあるが、さらに子局の先に信号増幅装置が接続され、そこから、アンテナ出力される場合もある。携帯端末側からの信号は、アンテナで受信され、上記の逆方向に電気・光、光・電気変換を繰り返し、最終的に基地局に送信される。親局装置と子局装置との間は光信号ケーブル接続、子局装置と信号増幅装置との間は電気信号ケーブル接続となる。１台の親局装置に対して、複数台の子局装置を接続可能である。
【０００３】
図３は４台の子局装置の接続例である。このような光伝送システムを縦続接続して使用することも可能である。図４はシステムを縦続接続した例である。基地局直下の光伝送システム１は親局装置（ＭＵ）１０が１台に対して、子局装置（ＳＵ）１１が１台の構成で、光伝送システム２は親局装置（ＭＵ）２０が１台に対して、子局装置（ＳＵ）が２１〜２４のように４台の構成である。光伝送システム１の子局装置１１と光伝送システム２の親局装置２０との間は、電気信号ケーブル１３による接続となる。光伝送システム２では、親局（ＭＵ）２０と各子局（ＳＵ）２１〜２４との間は光信号ケーブル２５〜２８により接続されており、各子局装置２１〜２４の先には１台ずつ信号増幅装置（ＡＭＰ）３１〜３４が接続用電気信号ケーブル３５〜３８により、それぞれ、接続されており、各信号増幅器３１〜３４には携帯端末宛の電波送受信用アンテナ４１〜４４が、それぞれ、接続されている。縦続接続されるシステム（ここでいう光伝送システム１）の子局装置（ここでいう子局装置１１）には、信号増幅装置やＲＦ信号送受信アンテナは接続されない。
光伝送システム１の子局装置１１からは、配下にある装置に監視信号を送って、装置の状態要求を行うことができる。このとき、監視の対象になる装置は、光伝送システム２の親局装置２０および各信号増幅装置３１〜３４である。
また、これら被監視装置２０，３１〜３４には、予め装置種別番号が設定されている。例えば、その装置には、種別ごとにデータが書き込まれており、電源が投入されると、ソフトウェアが起動し、当該装置の種別番号が自動的に認識できるようになっている。
【０００４】
【発明が解決しようとする課題】
このような従来装置において、監視通信には監視信号としてある規定の監視用電文を使用するが、この電文には装置種別に関する情報を付与され、装置種別毎に予め定められた規定の監視用電文が監視信号として用いられることになっている。図３，図４のような構成の場合、親局装置２０，信号増幅装置３１〜３４のそれぞれに、固有の装置種別番号（識別番号）が割り当てられている。信号増幅装置３１〜３４も、用途が同じであっても、種類の異なる装置であれば、対応する装置種別番号も異なる。従って、子局装置１１からは、親局装置２０，信号増幅装置３１〜３４に対して、それぞれ固有の監視用電文を送って、状態監視を行うことになる。
【０００５】
いま、子局装置２１〜２４に対して、それぞれ信号増幅装置３１〜３４が接続されていて、各信号情報装置３１〜３４の装置種別が分かっていれば、それぞれに対応する専用の監視用電文を送ることができるが、３１〜３４はすべて接続されているわけではなく、また３１〜３４が運用中に別の装置種別番号を持つ増幅装置に変更される可能性があるため、子局装置１１からは、接続し得るすべての装置種別番号に対応する監視用電文を送信する必要がある。このため、ある装置に対して、特定の装置種別に対応する監視用電文を送信した場合、その親局装置または信号増幅装置が持つ装置種別番号と電文の装置種別番号とが合致した場合にのみ電文応答があり、合致しない場合には何も応答がないため、子局装置１１は、設定されたタイムアウト時間長だけ応答を待ち続けることになる。このようにして想定される装置種別番号の数だけ、繰り返し信号を送ることになるため、電文送受信の効率が劣るという欠点がある。
【０００６】
本発明の目的は、複数の通信先との間の監視情報伝送を効率的に行うことができる複数の通信機器に対する監視システムを提供することにある。
【０００７】
【課題を解決するための手段】
この目的を達成するために、本発明による複数の通信装置に対する監視システムは、接続される信号増幅装置の装置種別番号（識別番号）を予め上位の子局装置で識別できるようにしておき、接続される信号増幅装置に送る監視信号（監視用電文）を一意に決定することができるように構成されている。
【０００８】
すなわち、さらに具体的に述べれば、本発明による複数の通信機器に対する監視システムは、複数の信号伝送路の各一端側は一つの監視局の複数のインターフェースにそれぞれ接続され、前記複数の信号伝送路の各他端側は着脱可能な接続手段により複数の被監視通信機器と接続可能なるように構成されると共に、
該複数の被監視通信機器のうちの少なくとも一つの被監視通信機器が前記接続手段により前記複数の信号伝送路の各他端側に接続されたときに、当該接続された被監視通信機器を識別する識別信号が前記複数の信号伝送路のうちの該当する信号路を介して前記監視局に設けられた監視手段に取得されるように構成され、該監視手段は前記識別信号が取得された該被監視通信機器に対して個別に予め定められている監視信号とその応答信号を前記複数の信号伝送路のうちの該当する信号伝送路により伝送して、該応答信号の信号状態により当該被監視通信機器の状態の監視を行うことができるように構成されている。
また、前記監視局と前記複数の被監視通信機器間に光ファイバ伝送路が配置され、該光ファイバ伝送路の一方側の装置では伝送すべき電気信号を光信号に変換して送信を行い、他方の装置では受信した光信号を電気信号に変換して元の電気信号を取り出す双方向伝送を行う光信号伝送路が形成されており、前記監視局の監視手段には、前記複数の被監視機器の各識別信号を選択して設定するためのロータリスイッチが実装され、該ロータリスイッチによる選択操作によって前記識別信号の種類を特定され、監視効率を向上させることができるように構成することができる。
さらに、前記監視手段に前記識別信号を個別に記憶しておくためのメモリ領域が設けられ、該メモリ領域の記憶内容から前記識別信号が特定されて、監視効率を向上させることができるように構成することができる。
【０００９】
【発明の実施の形態】
以下本発明の第１の実施例を、図１を参照して説明する。
子局装置１１ａに、配下に接続される台数分だけ、予めロータリスイッチ（ＳＷ）を実装しておき、このロータリスイッチを用いて装置種別番号を設定しておく。例えば、図３又は図４に示す光伝送システム２のような場合には、親局装置が１台で、信号増幅装置が４台で合計５台が接続されることになるので、これらの５台の装置にそれぞれ対応するように、全部で５個のロータリスイッチ（ＳＷ）５０〜５４を子局装置１１ａに実装しておいて、例えば、各ロータリスイッチの段数は装置種別番号の桁数に対応し、各ロータリスイッチの各段の切替接点数は被監視機器の機種数（すなわち、使用する装置種別番号数）に対応するように設定しておけば、これらのロータリスイッチ５０〜５４の個別切替設定操作により、配下の対応する装置に対する装置種別番号を設定されることになる。この設定情報は、監視制御部（ＣＯＮＴ）７０で認識できるようになっている。このように構成しておくことにより、子局装置１１ａからは配下の各被監視装置に対して一意の監視用電文を送信することが可能となる。
【００１０】
本発明の第２の実施例を図２に示す。
子局装置１１ｂ内の監視制御部７０に、配下に接続される装置に対する装置種別番号を記憶しておくためのメモリ領域６１を用意しておく。これは電源断等による装置再起動などが発生しても記憶内容が保持されている不揮発性メモリ領域にしておき、治具装置（ＰＣ）６３などを子局装置１１のインターフェース部（ＩＦ）６２に接続し、このメモリ領域６１内の個別の記憶領域に、対応する装置種別番号を書き込んでおき、その後被監視機器が２０，３１〜３４のいずれであるかに従って、対応する記憶領域のデータを参照して対応する被監視機器の装置種別番号を認識し、監視用電文を送信する。これにより、第１の実施例と同様の装置種別番号の設定を実現することができる。
【００１１】
前記の装置番号設定治具は、子局（ＳＵ）１１ｂでなくても、親局（ＭＵ）１０に接続してデータを書き込み、親局（ＭＵ）１０から子局（ＳＵ）１１に通信でデータを送って設定するという構成も可能である。
また、第２の実施例に示した記憶領域を確保しておけば、装置種別番号を自動取得することも可能である。起動後初めて通信を行うときのみ想定されるすべての監視用電文を送り、応答があれば、その装置種別番号を特定することができ、その情報を記憶しておけば、次回からは一意に監視用電文を送ることができるようになる。このような構成を採っておけば、運用中に装置種別番号の異なる親局装置または信号増幅装置が接続されたとしても装置種別番号を自動認識することができるので、保存している装置種別番号番号の情報も自動更新されるようになる。このような監視システムは、第２の実施例で説明した治具装置を用いて手動で装置種別番号を変更する構成と組み合わせて使用することができる。状況に合わせて、どちらの構成をとることも可能である。さらに、手動で設定した場合に、誤った番号設定がなされたとしても、自動的に誤り訂正が可能となる。
【００１２】
以上の各実施例における識別番号の伝送と処理の具体例について説明する。
子局装置１１（１１ａ，１１ｂ）からは、監視の対象となる２０，３１〜３４のうちの１台に対して、定期的に信号を送って、その都度特定の１台の装置から電文を受信することになる（ポーリング）。いま、子局装置１１と信号増幅装置３１との電文送受信を例に説明する。子局装置１１からは、装置種別番号を付与して、親局装置２０へ送信する。このとき、ロータリＳＷ５０〜５４で装置種別番号が設定されていれば、その装置種別番号を付与すればよいが、それ以外の場合には可能性のある番号のうちの１つ（例えば、２１）を仮設定して電文を送ることになる。電文を受信した親局装置２０は、そのまま子局装置２１に送信する。子局装置２１からも同様に信号増幅装置３１に送信する。電文を受信した信号増幅装置３１では、電文の内容に誤りがないかどうかを確認する。ここで電文中の装置種別番号に誤りがある場合、信号増幅装置３１はデータをそのまま破棄する。一方、子局装置１１では、電文を送信してからタイマを作動させて、信号増幅装置３１からの応答を待つことになるが、規定時間以上経過しても応答がない場合、別の装置種別番号を付与して再度電文を送る。そのうち、電文応答があった場合の装置種別番号が見つかるので、それを子局装置１１で保存しておく。このようにすれば、光伝送システム１内では、親局装置１０〜子局装置１１間のローカル通信（ポーリング）が行われており、子局装置１１に集約された情報は、あるタイミングで親局装置１０に通知されることになる。
【００１３】
【発明の効果】
以上詳細に説明したように、本発明によれば、予め、配下の複数の被監視装置に対して、一意の監視用電文を送ることができるため、効率のよい監視用情報伝送ができる監視システムを実現することができる。
【図面の簡単な説明】
【図１】ロータリスイッチを実装して装置種別番号を設定する機能を有する子局装置を備えた本発明の実施例を示した図である。
【図２】装置種別番号のメモリ領域をもつ子局装置を備えた本発明の実施例を示す図である。
【図３】本発明を適用する従来の光伝送システムの構成例を示した図である。
【図４】本発明を適用する従来の光伝送システムの縦属接続による構成例を示した図である。
【符号の説明】
１　光伝送システム（１）
２　光伝送システム（２）
１０　親局装置
１１，１１ａ，１１ｂ　子局装置
１２　接続用光信号ケーブル
１３　光伝送システム接続用電気信号ケーブル
２０　親局装置
２１〜２４　子局装置
２５〜２８　接続用光信号ケーブル
３１〜３４　信号増幅装置
３５〜３８　接続用電気信号ケーブル
４１〜４４　送受信アンテナ
５０　装置種別設定用ロータリスイッチ
５１〜５４　装置種別設定用ロータリスイッチ
６１　装置種別番号メモリ
６２　治具接続用インターフェース
６３　装置種別番号設定用治具
７０　監視制御部
【図１】
2004023625.tif 000003
【図２】
2004023625.tif 000004
【図３】
2004023625.tif 000005
【図４】
2004023625.tif 000006